(57)【特許請求の範囲】
【請求項１】
バスを介して相互接続された複数のステーション間で情報を伝送するシステムであって、各ステーションが情報を少なくとも２つの異なる信号レベルで送信するアクティブモードと、ステーションの電力消費が著しく低いスリープモードとに切り換えることができるとともに、ウェイクアップ信号の受信によりアクティブ状態へ切り換えることができる情報伝送システムにおいて、前記ウェイクアップ信号を情報伝送用の信号レベル範囲外に位置する電圧レベルで送信する送信手段を具え、最初に前記送信手段により前記ウェイクアップ信号を全てのステーションに送信して全てのステーションを短時間ウェイクアップさせ、前記ウェイクアップ信号に後続するメッセージによりサブシステムの加入者として規定されていないステーションは直ちに再びスリープモードにすることを特徴とする情報伝送システム。
【請求項２】
バスを経て少なくとも２つの異なる電圧レベルで送信される信号を受信する少なくとも１つの受信機を含むステーションであって、その一部分を所定の制御信号の受信により低電力消費のスリープモードへ切り換えることができるとともにバスからウェイクアップ信号の受信によりその全部分をアクティブモードにセットすることができるステーションにおいて、前記受信機が、他の信号の電圧レベル範囲外に位置する電圧レベルを有するウェイクアップ信号を評価する回路手段と、前記ウェイクアップ信号に後続するメッセージにより当該ステーションがサブシステムの加入者として規定されない場合には前記受信機の一部分を直ちに再びスリープモードにする回路手段とを含むことを特徴とするステーション。
【請求項３】
前記受信機がウェイクアップ信号を、ウェイクアップレベルに最も近い電圧レベルを有する信号と同一に処理するように構成されていることを特徴とする請求項２記載のステーション。
【発明の詳細な説明】
【０００１】
【発明の属する技術分野】
本発明は、少なくとも一つの導体からなるバスを介して相互接続され、該バスを経て異なる信号レベルの形態に符号化された情報を送信する複数のステーション間で情報を伝送するシステムに関するものである。
【０００２】
【従来の技術】
この種のシステムは、例えばＤＥ１９５２３０３１Ａ１から既知である。
この既知のシステムにおいては、ステーションは本質的に２つの異なるモードを有する。ノーマル又はアクティブモードでは、すべてのステーション間で通信が可能である。即ち、すべてのステーションが他の任意のステーションにより送信されたメッセージを正しく受信することができ、送信ステーションがバスドライバによりバスを適切な信号レベルにせしめる。スリープモードでは、バス上にスリープレベルが発生し、通信が不可能になるが、任意のステーションにより送信されたメッセージを他のステーションがノーマルモードへの切換え要求と解釈することができるため、バスを介してシステムをスリープモードから目覚めさせ（ウェイクアップ）、通信を再開させることができる。
【０００３】
このようなシステムの代表的な用途においては多数のステーションを含み、例えば駐車中の自動車においては電力を節約する必要があるため、できるだけ頻繁に、できるだけ長くスリープモードになるようにする必要がある。しかし、同時に、通常はいくつかのステーションはスリープモード中もときどき互いに通信する必要がある。電力消費を考慮すると、この目的のために全ステーションを有する全システムを一時的にノーマルモードにすることはできない。
【０００４】
【発明が解決しようとする課題】
本発明の目的は、くつかのステーションは互いに通信することができるが、他のステーションはいくつかのステーションの進行中の通信をウェイクアップ要求と解釈しないでスリープモードを維持するサブシステム動作を可能にすることにある。
【０００５】
【課題を解決するための手段】
この目的を達成するために、本発明においては、信号レベルに加えて、信号レベル範囲外に位置し、従ってすべてのステーションが信号レベルから明確に識別しうる追加のウェイクアップレベルを規定する。このウェイクアップレベルが通信中に発生しない場合には、既にスリープモードにあるステーションはスリープモードのままとなる。
【０００６】
スリープモードからのサブシステム動作の開始を達成するためには、最初にすべてのステーションをウェイクアップレベルの送信により短時間目覚めさせる。通常このウェイクアップレベルの後にデータメッセージがくる。必要に応じ、データメッセージはサブシステム動作に関する加入者を規定し、アドレスされないステーションを直ちに再びスリープモードにすることができる。サブシステム動作における以後の通信は信号レベルに基づいて行われる。
【０００７】
本発明は、更に、バスを経て受信された信号を受信する少なくとも一つの受信機を含むステーションであって、信号レベル範囲外に位置する電圧レベルを有するウェイクアップ信号に応答してノーマルモード又はアクティブモードに切り換えうるステーションにも関するものである。
【０００８】
混同を避け、システムの一貫性を向上させるために、ステーション内でウェイクアップレベルを論理的に同一に一つの信号レベルに解釈し、ノーマル動作中はウェイクアップレベルで不当に動作するステーションによってバスドライバにより送信されるメッセージがすべてのステーションにより、前記バスドライバがノーマル信号レベルを使用した場合と同様に正しく受信されるようにする。
【０００９】
【発明の実施の形態】
本発明の実施例を図面を参照して以下に詳細に説明する。
図１は、複数のステーション１４、１５、１６がバス１１に接続され、該バスを経て情報を表す信号を伝送するシステムを示す。これらの信号は２進信号であり、単一導体を経て直列に、又は２つの導体を経て逆移相で送信される。バスは、ステーションに専用の電源が設けられていないかぎり、ステーションの電力供給用の導体を含むこともできる。各ステーションはバスを経て伝送されてくる信号を受信する受信機を含むとともに、通常はバスドライバも含み、これにより当該ステーションからすべての他のステーションへバスを経て信号を送信することができる。
【００１０】
図２に示すように、各ステーション、例えばステーション１４はバス１１に接続された少なくとも一つのバスドライバ２１、個々のメッセージの高信頼度伝送用プロトコルを実行する回路２２及びアプリケーションスペシフィックタスクを実行する少なくとも一つの制御回路２３を含む。バスドライバはプロトコル回路２２からライン２４を経て到来する直列データをバス１１上における信号レベル又はウェイクアップレベルに変換する。ライン２６及び２７を介してバスドライバ２１を電力消費が極めて低いスリープモード、ノーマルモード又はウェイクアップモードにセットすることができる。バスドライバ２１内の受信機がバス１１から受信した信号をデータとしてライン２５を経てプロトコル回路２２に送信し、このプロトコル回路がこのデータを制御回路２３に供給する。プロトコル回路２２は制御回路２３からもデータを受信し、このデータをバスドライバ２１に供給する。バスドライバは検出したウェイクアップ要求をライン２８を経て信号する。このときステーションはアクティブモードにセットされ、例えばバスドライバのようなステーションの一部分又は制御回路の一部分が電源電圧に接続される。
【００１１】
図３に示すように、バスドライバ２１はバス１１上に次のレベル：
・論理”０”と解釈しうるスリープレベルＶ０；
・論理”１”と解釈しうる信号レベルＶ１；
・同様に論理”１”と解釈しうるウェイクアップレベルＶ２；
を調整し、レベルＶ０からＶ１への切換え時又はその逆の切換え時には、受信レベルＶ３のみを越えるが、レベルＶ０からＶ２への切換え時又はその逆の切換え時には受信レベルＶ３とウェイクアップ受信レベルＶ４の両方を越えるようにする。
【００１２】
図４はバスドライバ２１の原理的構成を示す。電圧コンバータ３１は供給電圧Ｖ７から、信号レベルとしての電圧Ｖ１及びウェイクアップレベルとしての電圧Ｖ２を制御回路３２のために形成し、制御回路３２は、図２の制御回路２３から発生するライン２４上の論理レベルが”１”の場合に、電圧ホロワとしてのトランジスタ３７をスイッチしてレベルＶ１又はＶ２をバス１１上に生じさせる。制御回路２３から発生するライン２７を介してスイッチ３５がＶ１からＶ２へ、従ってノーマルモードからウェイクアップレベルの送信へ切り換えられる。ライン２４上の論理レベルが”０”の場合には、トランジスタ３７がスイッチオフのままで、抵抗３８によりスリープレベルがバス上に生じたままとなる。
【００１３】
バスドライバ２１内の受信機は本質的に比較器３３及び３４からなる。電圧コンバータ３１は比較器３３のデータ受信用の基準電圧Ｖ３及び比較器３３の電源用供給電圧Ｖ５も形成する。受信しきい値Ｖ３が信号レベルとウェイクアップレベルの両レベルに対し有効であるため、ステーションが信号レベルで送信するか、ウェイクアップレベルで送信するかと無関係に、データを常に正しく受信することができ、このデータはライン２５を経て図２のプロトコル回路２２に供給される。回路３９は基準電圧Ｖ４及び供給電圧Ｖ６を比較器３４のウェイクアップ信号受信用に供給し、受信ウェイクアップ信号はライン２８を経て図２の制御回路２３に供給される。
【００１４】
制御回路からのライン２６及びスイッチ３６を介してバスドライバをスリープモードにセットし、電圧コンバータ３１をスイッチオフし、従って電圧Ｖ１，Ｖ２，Ｖ３，Ｖ５及びＶ８をスイッチオフし、回路３９のみを（従って比較器３４も）アクティブのままにして到来するウェイクアップレベルを検出し、検出信号をライン２８を経て出力することができる。ライン２６を経て、ステーションの他の回路、例えばプロトコル回路３もスイッチオフすることができる。
【図面の簡単な説明】
【図１】バスを介して相互接続された複数のステーションを有するシステムの概略図を示す。
【図２】ステーションの概略構成図を示す。
【図３】種々の信号レベル及びしきい値を示す。
【図４】ステーション内のバスドライバの概略構成図を示す。
【符号の説明】
１４、１５、１６  ステーション
１１  バス
２１  バスドライバ
２２  プロトコル回路
２３  制御回路
Ｖ０  スリープレベル
Ｖ１  信号レベル
Ｖ２  ウェイクアップレベル
Ｖ３，Ｖ４  受信レベル
３１  電圧コンバータ
３２  制御回路
３３、３４  比較器
３５、３６  スイッチ
３７  電圧ホロワ
３９  電圧コンバータ
【図１】
0004455681.tif 000002
【図２】
0004455681.tif 000003
【図３】
0004455681.tif 000004
【図４】
0004455681.tif 000005